(57)【要約】【課題】室内に複数の燃焼機器が配置された環境であって、複数の燃焼機器が燃焼しているときであっても、適正な換気量で換気を行うことができる換気制御システムを提供する。【解決手段】室内に配置された、室内の空気を換気する換気装置１と、複数の燃焼機器３とを備えるシステムにおいて、前記換気装置１を制御する制御手段４が、前記複数の燃焼機器３との間で通信可能に設けられ、各燃焼機器３は、燃焼量を示すデータを、前記制御手段４へ出力する手段をそれぞれ備え、前記制御手段４は、各燃焼機器３から出力されたデータを基に、各燃焼機器３の燃焼量の総和である総燃焼量を求めて、総燃焼量が大きいほど、換気装置１の換気量を大きくするように、総燃焼量に応じて換気装置１の換気量を制御する手段を備える。【選択図】  図１
2004301384.tif 000002
【特許請求の範囲】
【請求項１】
室内に配置された、室内の空気を換気する換気装置と、複数の燃焼機器とを備えるシステムにおいて、
前記換気装置を制御する制御手段が、前記複数の燃焼機器との間で通信可能に設けられ、
各燃焼機器は、燃焼量を示すデータを、前記制御手段へ出力する手段をそれぞれ備え、
前記制御手段は、各燃焼機器から出力されたデータを基に、各燃焼機器の燃焼量の総和である総燃焼量を求めて、総燃焼量が大きいほど、換気装置の換気量を大きくするように、総燃焼量に応じて換気装置の換気量を制御する手段を備えることを特徴とする換気制御システム。
【請求項２】
前記制御手段は、前記換気装置の換気量を把握する手段と、前記総燃焼量に対する必要換気量を求める手段とを備え、該必要換気量と把握した換気量との大小関係に応じて、換気量を増減させることを特徴とする請求項１記載の換気制御システム。
【請求項３】
前記制御手段は、前記必要換気量が前記把握した換気量を上回るとき、把握した換気量が換気装置の最大換気量であるか否かを判断し、最大換気量でなければ、換気装置の換気量を増加させ、把握した換気量が、換気装置の最大換気量である場合は、少なくとも、いずれか一つの燃焼機器を対象として決定し、その決定した対象燃焼機器の燃焼量を下げるように、対象燃焼機器の燃焼量を制御する手段を備えることを特徴とする請求項２記載の換気制御システム。
【請求項４】
前記制御手段は、燃焼量を下げる対象燃焼機器の優先順位を記憶しており、優先順位の高いものから優先的に、対象燃焼機器として決定する手段を備えることを特徴とする請求項３記載の換気制御システム。
【発明の詳細な説明】
【０００１】
【発明の属する技術分野】
本発明は、一つの室内に、換気装置と、複数の燃焼機器とを備えるシステムに関する。
【０００２】
【従来の技術】
従来、ガスコンロの点火と同時に、換気装置の運転を開始し、ガスコンロの運転を停止すると、換気装置の運転も停止するシステムが知られている（例えば、特許文献１参照。）。さらに、このシステムでは、ガスコンロの燃焼量が弱火か強火かで換気装置の換気量を増減させるようにしている。
【０００３】
一方、ガスコンロのある室内では、ガスコンロ以外にも、ガス湯沸器、ガス炊飯器、ファンヒータなどの、他の複数の燃焼機器が配置されている場合が多々ある。
【０００４】
しかしながら、このシステムは、単一の燃焼機器の運転時の換気を行うものであり、他の燃焼機器を考慮していない。このため、複数の燃焼機器が同時に運転されていると換気不足となる虞がある。特に、ガスコンロが弱火で運転されている場合、換気装置の換気量が減るため、他の燃焼機器が運転されていると、換気不足になりやすい。換気が必要以上不足すると、燃焼機器の燃焼量に見合う空気量が減り、燃焼状態が悪くなると共に、熱効率が低下する虞がある。
【０００５】
また、ガスコンロが止まると、換気装置も止まるため、他の燃焼機器が運転されているときは、使用者が手動で換気装置を運転させて換気を行う必要があった。
【０００６】
【特許文献１】
特開平１１−１４１９３５号公報（第４頁、第２図）
【０００７】
【発明が解決しようとする課題】
本発明は上記背景を鑑みてなされたものであり、室内に複数の燃焼機器が配置された環境であって、複数の燃焼機器が燃焼しているときであっても、適正な換気量で換気を行うことができる換気制御システムを提供することを目的とする。
【０００８】
【課題を解決するための手段】
上記目的を達成するため、本発明の換気制御システムは、室内に配置された、室内の空気を換気する換気装置と、複数の燃焼機器とを備えるシステムにおいて、前記換気装置を制御する制御手段が、前記複数の燃焼機器との間で通信可能に設けられ、各燃焼機器は、燃焼量を示すデータを、前記制御手段へ出力する手段をそれぞれ備え、前記制御手段は、各燃焼機器から出力されたデータを基に、各燃焼機器の燃焼量の総和である総燃焼量を求めて、総燃焼量が大きいほど、換気装置の換気量を大きくするように、総燃焼量に応じて換気装置の換気量を制御する手段を備えることを特徴とする。
【０００９】
かかる構成によれば、室内の複数の燃焼機器の総燃焼量を求めた上で、その総燃焼量に応じて、総燃焼量が大きいほど換気量を多くするように、換気装置の換気量を制御する。このため、室内に複数の燃焼機器が配置された環境であって、複数の燃焼機器が燃焼しているときであっても、適正な換気量で換気を行うことができ、これにより確実に、各燃焼機器の燃焼状態を維持し、熱効率の低下を抑制することができる。
【００１０】
また、前記制御手段は、前記換気装置の換気量を把握する手段と、前記総燃焼量に対する必要換気量を求める手段とを備え、該必要換気量と把握した換気量との大小関係に応じて、換気量を増減させることが好ましい。これによれば、総燃焼量に対する必要換気量を求めているため、必要以上に室内が換気されることを抑制することができ、必要以上の換気による室内の温度低下、及び換気装置の消費電力を抑えることができる。なお、この場合、必要換気量が、把握した換気量より大きい場合は、換気装置の換気量を増加させることが好ましい。一方、必要換気量が把握した換気量より低い場合には、単に換気量を下げてもよいが、あらかじめ定めた所定量以上、必要換気量が把握した換気量より低下した場合に、換気装置の換気量を下げるようにしてもよい。
【００１１】
また、上記のように必要換気量を求める場合にあっては、前記制御手段は、前記必要換気量が前記把握した換気量を上回るとき、把握した換気量が換気装置の最大換気量であるか否かを判断し、最大換気量でなければ、換気装置の換気量を増加させ、把握した換気量が、換気装置の最大換気量である場合は、少なくとも、いずれか一つの燃焼機器を対象として決定し、その決定した対象燃焼機器の燃焼量を下げるように、対象燃焼機器の燃焼量を制御する手段を備えることが好ましい。これにより、必要換気量が換気装置の換気能力の上限である最大換気量を超える場合であっても、少なくとも１つの燃焼機器の燃焼量を下げることにより、総燃焼量を下げ、最大換気量まで必要換気量を下げることができるので、適正な換気量で換気を行うことができる。
【００１２】
また、前記制御手段は、燃焼量を下げる対象燃焼機器の優先順位を記憶しており、優先順位の高いものから優先的に、対象燃焼機器として決定する手段を備えることが好ましい。すなわち、燃焼機器の中には、燃焼量を強制的に下げても、それほど支障のないものもあれば、例えば、調理用の燃焼機器などのように、燃焼量を強制的に下げると、調理物に不都合が生じる等の支障をきたすものもある。そのため、優先順位をあらかじめ決めておくことで、燃焼量を強制的に下げることが好ましくない燃焼機器の燃焼量を維持しつつ、燃焼量を下げても支障のない燃焼機器の燃焼量を強制的に下げて、総燃焼量を減らすことができる。
【００１３】
【発明の実施の形態】
本発明の実施の形態を図１から図３を参照して説明する。図１は本実施形態の制御システムを模式的に示したブロック図、図２は本実施形態の制御手段の機能説明図、図３は本実施形態の制御システムの作動の一例を示すグラフである。
【００１４】
図１に示すように、室内Ａには、換気装置としての換気扇装置１と、換気扇装置１を運転したときに、室内Ａへの外気を導入する吸気口２と、燃焼機器３としてのガスコンロ３ａ、ガス炊飯器３ｂ、ガス湯沸器３ｃ、及び、ファンヒータ３ｄと、制御手段としての制御装置４とが備えられている。
【００１５】
換気扇装置１は、後述する制御装置４から与えられる指令信号（換気量の指令信号）に基づいて、換気量を、「小」、「中」、「大」の３段階に調整する機能を有している。また、換気扇装置１は、換気量（実換気量）を検出するセンサ（図示しない）を備えている。そして、換気扇装置１は、該センサで検出した換気量のデータを出力する機能を持っている。ここで、換気扇装置１の換気量は、より詳しくは、換気扇装置１の単位時間当たりの吸気量もしくは排気量であり、換言すれば換気扇装置１の風量である。なお、換気扇装置１は、風量を検出するセンサの検出データの代わりに、換気扇装置１を構成するファン１ａの回転速度データを出力するようにしてもよい。また、本実施形態では、換気扇装置１は、建築材から発生するホルムアルデヒドなどの化学物質を換気するために、いずれの燃焼機器３が運転されていないときであっても、換気量「小」で運転するようにし、２４時間換気を行っている。
【００１６】
各燃焼機器３は、使用者による操作や、あらかじめ決められたシーケンスプログラム、あるいは後述する制御装置４から与えられる指令信号（燃焼量の指令信号）に応じて必要燃焼量を決定し、その必要燃焼量で、燃焼運転を行う機能を持っている。そして、各燃焼機器３は、その必要燃焼量を、各燃焼機器の燃焼量（実燃焼量）を示す燃焼量データとして、出力する機能を持っている。
【００１７】
制御装置４は、マイクロコンピュータ等から構成された電子回路ユニットであり、換気扇装置１、各燃焼機器３との間で、有線もしくは無線により構成された通信手段（ホームネットワーク等。図では制御装置４と、換気扇装置１及び各燃焼機器３との間の矢印で表している。）により通信（各種のデータ授受。）を行うことが可能となっている。その通信内容をより具体的に言えば、制御装置４は、換気扇装置１から換気量の検出データを取得して、その換気量を把握すると共に、各燃焼機器３からそれぞれの燃焼量データを取得して、各燃焼機器の燃焼量を把握する。さらに、制御装置４は、換気扇装置１の換気量を制御するための換気量の指示信号や、各燃焼機器３の燃焼量の指示信号を、後述するように換気扇装置１および各燃焼機器３に送出する。この場合、換気量の指示信号に関しては、換気装置の換気量を「小」、「中」、「大」の３段階に制御できるため、その「小」、「中」、「大」３段階の内のいずれかの換気量の指示信号を送出する。なお、制御装置４は、自身が換気扇装置１に送出する指令信号に基づいて、換気扇装置１の換気量を把握してもよい。
【００１８】
次に、本実施形態の制御システムの作動（特に制御装置４の制御処理）を、図２を参照して説明する。制御装置４は、この図２に示すフローの処理を、所定のサイクルタイムで実行する。
【００１９】
制御装置４は、ＳＴＥＰ１において、換気扇装置１の換気量の検出データを取得して換気装置１の実換気量を把握する。次いで、ＳＴＥＰ２において、各燃焼機器３の燃焼量データを取得して、各燃焼機器３の実燃焼量を把握する。さらにＳＴＥＰ３において、制御装置４は、把握した各燃焼機器３の実燃焼量により、各燃焼量（実燃焼量）の総和である総燃焼量を求める。次いで、ＳＴＥＰ４において、総燃焼量に対する必要換気量を、あらかじめ記憶されたデータ（燃焼量と換気量との相関関係を表すデータ）を基に求める（推定する。）。ここで、本実施形態においては、必要換気量は、総燃焼量に対応して必要とされる空気量を得るように、適正に換気する上で、必要な最低限度の換気量をいう。
【００２０】
制御装置４は、ＳＴＥＰ５において、必要換気量と、把握した換気扇装置１の換気量（実換気量）とを比較する。必要換気量が、把握した換気量（実換気量）を上回る場合は、ＳＴＥＰ６に進み、把握した換気量（実換気量）が、換気扇装置１の最大換気量、即ち換気量「大」であるか否かを判断する。把握した換気量（実換気量）が、最大換気量でない場合は、ＳＴＥＰ７に進み、制御装置４は、換気扇装置１に、換気量を１段階上げる指令信号を送出する。これに応じて、換気扇装置１は、換気量を１段階増加させる。把握した換気量（実換気量）が最大換気量である場合は、換気扇装置１は、これ以上、換気量を上げることができない。このため、制御装置４の処理は、ＳＴＥＰ８に進み、燃焼量を低下させる対象燃焼機器３を決定すると共に、低下させる燃焼量を決定する。
【００２１】
ここで、本実施形態では、対象燃焼機器３の燃焼量を低下させる際の優先順位のデータが、あらかじめ制御装置４に記憶されている。なお、本実施形態における優先順位は、ファンヒータ３ｄ、ガス湯沸器３ｃ、温調機能（調理物の温度を目標温度に保つ機能）を使用していない場合のガスコンロ３ａの順として記憶されている。ガス炊飯器３ｂの燃焼量を低下させると、御飯が炊けなくなり、温調機能を使用している場合のガスコンロ３ａの燃焼量を低下させると、調理物に不都合が生じるため、これらの燃焼機器３の燃焼量は低下させない。
【００２２】
さらに、制御装置４は、その優先順位と共に、燃焼量を下げる最低ラインである下限値を、各燃焼機器３ごとに記憶している。そして、本実施形態では、必要換気量から実換気量を差し引いた換気量分に対する燃焼量（以下、低下燃焼量という。）の分だけ、総燃焼量を下げるように、前記優先順位や、各燃焼機器３の燃焼量の下限値に基づいて、各燃焼機器３の燃焼量を制御する。
【００２３】
そこで、前記ＳＴＥＰ８の処理は次のように行われる。すなわち、優先順位の最も高い燃焼機器３の実燃焼量から、低下燃焼量を差し引いた燃焼量が、第１優先順位の燃焼機器３の燃焼量の下限値に達しているか否かを判断する。下限値に達していなければ、制御装置４は、第１優先順位の燃焼機器３を対象燃焼機器３として決定し、低下燃焼量を低下させる燃焼量として決定する。
【００２４】
逆に、下限値に達している場合は、第１優先順位の燃焼機器３の実燃焼量から下限値までの差分を低下燃焼量から引いた余剰燃焼量分を、第２優先順位の燃焼機器３の実燃焼量から差し引き、それが第２優先順位の燃焼機器３の燃焼量の下限値に達しているか否かを判断する。下限値に達していなければ、第１優先順位の燃焼機器３を対象燃焼機器３として決定し、第１優先順位の燃焼機器３の低下させる燃焼量を、低下燃焼量から余剰燃焼量を引いた差分の燃焼量として決定する。そして、これとと共に、該第２優先順位の燃焼機器３も対象燃焼機器３として決定し、余剰燃焼量を第２優先順位の燃焼機器３の低下させる燃焼量として決定する。このような制御を、以下同様にして繰り返される。このように、ＳＴＥＰ８では、対象燃焼機器３と、その対象燃焼機器３に対して下げるべき燃焼量とが決定される。
【００２５】
そして、ＳＴＥＰ９において、制御装置４は、対象燃焼機器３に対して、燃焼量の低下の指令信号を送出する。これによって、燃焼量を下げる指令信号を受けた対象燃焼機器３は、その指令信号に含まれる燃焼量の低下分の指令値に従って、燃焼量を低下させる。なお、換気扇装置１の実換気量が最大換気量に達し、いずれの燃焼機器３の実燃焼量も既に下限値に達して、これ以上、総燃焼量を下げられない状況となった場合に備え、使用者に充分な室内の換気が行われていないことを知らせるべく、警報装置を設けてもよい。また、各燃焼機器３の燃焼量の下限値は、０、すなわち燃焼機器３の運転停止を意味するものがあってもよい。
【００２６】
ＳＴＥＰ５において、必要換気量が実換気量を上回らない場合には、ＳＴＥＰ１０に進み、制御装置４は、必要換気量が、実換気量から一定の値を引いた換気量（規定換気量）以下になるか否かを判断する。ここで、本実施形態においては、規定換気量とは、実換気量が「大」の場合は「中」であり、実換気量が「中」の場合は「小」であり、実換気量が「小」の場合は、必要換気量未満の値に設定されている。ＳＴＥＰ１０において、規定換気量が必要換気量以上になる場合は、ＳＴＥＰ１１に進み、換気扇装置１に対し、換気量を一段階下げる指令信号を送出する。必要換気量が規定換気量を上回る場合は、そのまま今回のサイクルタイムの処理を終了する。なお、ＳＴＥＰ１０において、規定換気量は、実換気量が「小」の場合には、必要換気量未満の値となっているため、実換気量が「小」である場合は、必要換気量の値にかかわらず、常に、今回のサイクルタイムの処理を終了することとなる。したがって、換気量「小」での換気扇装置１の運転が継続され、２４時間換気が行われる。
【００２７】
ここで、図３を参照して、本実施形態の制御システムの作動の一例を示す。図３は、横軸を時間、縦軸を換気量としたグラフである。また、破線は、換気扇装置１の換気量を示し、イはファンヒータ３ｄの燃焼量に対する必要換気量、ロはガス湯沸器３ｃの燃焼量に対する必要換気量、ハはガス炊飯器３ｂの燃焼量に対する必要換気量、ニはガスコンロ３ａの燃焼量に対する必要換気量である。
【００２８】
時間帯Ｉでは、いずれの燃焼機器３も運転しておらず、換気扇装置１は、換気量「小」の微風で運転されている。時間帯ＩＩになると、ファンヒータ３ｄが運転される。ファンヒータ３ｄの燃焼量に対する必要換気量イは、換気量「小」以上「中」未満であるため、制御装置４は、換気扇装置１に、「中」の換気量の指令信号を送出し、換気量「中」で運転させる。時間帯ＩＩＩでは、ファンヒータ３ｄの他に、ガス湯沸器３ｃも運転され、ファンヒータ３ｄとガス湯沸器３ｃとの各燃焼量の総和である総燃焼量に対する必要換気量（イ、ロの和）は、換気量「中」以上「大」未満となる。従って、制御装置４は、換気扇装置１に「大」の換気量の指令信号を送出し、換気量「大」で運転させる。
【００２９】
そして、時間帯ＩＩＩの状態から、ガス炊飯器３ｂをさらに作動させると、必要換気量は、点「Ｐ」であらわすような、換気量「大」以上のものになる（ただし、ここでは、ファンヒータ３ｄ、ガス湯沸器３ｃの燃焼量は、時間帯ＩＩＩと同じとする。）。しかしながら、換気扇装置１は現在、最大換気量の「大」であり、これ以上換気量を上げることはできない。このため、把握した換気扇装置１の実換気量が、必要換気量である「Ｐ」に満たなく、換気扇装置１の実換気量が最大換気量「大」であることを把握した制御装置４は、まず、必要換気量「Ｐ」から換気量「大」を引いた分の換気量に対する燃焼量（低下燃焼量）を、あらかじめ記憶された換気量と燃焼量との相関関係を表すデータを基に求める。
【００３０】
次いで、制御装置４は、あらかじめ記憶された優先順位のデータに従って、第１優先順位のファンヒータ３ｄに対し、低下燃焼量をファンヒータ３ｄの実燃焼量から引いた燃焼量が、ファンヒータ３ｄの燃焼量の下限値に達しているか否かを判断する。この例では、低下燃焼量をファンヒータ３ｄの実燃焼量から引いた燃焼量は、ファンヒータ３ｄの燃焼量の下限値に達しておらず、このことを確認した制御装置４は、ファンヒータ３ｄを対象燃焼機器３として決定すると共に、ファンヒータ３ｄに対して、低下燃焼量分の燃焼量を下げるように、指令信号を送出する。指令信号を受けたファンヒータ３ｄは、低下燃焼量分の燃焼量を低下させる。これにより、時間帯ＩＶでは、総燃焼量に対する必要換気量（イ、ロ、ハの総和）が、換気量「大」と等しくなり、適正な換気量で、室内の換気が行われる。
【００３１】
次に、時間帯ＩＶの状態から、さらに、温調機能が使用されているガスコンロ３ａが運転されるとする。このとき、必要換気量は、点Ｑで表すような、換気量「大」以上のものになる（ただし、ここでは、ファンヒータ３ｄ、ガス湯沸器３ｃ、ガス炊飯器３ｂの燃焼量は、時間帯ＩＶと同じとする。）。このとき、換気扇装置１の実換気量が、必要換気量「Ｑ」に満たなく、実換気量が最大換気量「大」であることを把握した制御装置４は、まず、必要換気量「Ｑ」から換気量「大」を引いた分の換気量に対応する低下燃焼量を、あらかじめ記憶された換気量と燃焼量との相関関係を表すデータを基に求める。そして、制御装置４は、あらかじめ記憶された優先順位のデータに従って、第１優先順位のファンヒータ３ｄに対し、低下燃焼量を第１優先順位のファンヒータ３ｄの実燃焼量から引いた値が、ファンヒータ３ｄの燃焼量の下限値に達しているか否かを判断する。
【００３２】
この例では、低下燃焼量をファンヒータ３ｄの実燃焼量から引いた値が、ファンヒータ３ｄの燃焼量の下限値に達しており、このことを把握した制御装置４は、つぎに、ファンヒータ３ｄの実燃焼量から下限値の燃焼量を引いた分の燃焼量を、低下燃焼量から引いて求められた余剰燃焼量を、第２優先順位のガス湯沸器３ｃの実燃焼量から引く。
【００３３】
このとき、この例では、余剰燃焼量をガス湯沸器３ｃの実燃焼量から引いた値は、ガス湯沸器３ｃの燃焼量の下限値に達しておらず、このことを確認した制御装置４は、燃焼量を下げる対象燃焼機器３として、ファンヒータ３ｄとガス湯沸器３ｃとを決定し、ファンヒータ３ｄについては下限値まで、ガス湯沸器３ｃについては余剰燃焼量分の燃焼量を下げるよう指令信号を送出する。指令信号を受けたファンヒータ３ｄは、下限値まで燃焼量を低下させる。また、指令信号を受けたガス湯沸器３ｃは、実燃焼量から余剰燃焼量を引いた値まで、燃焼量を低下させる。これにより、時間帯Ｖでは、総燃焼量に対する必要換気量（イ、ロ、ハ、ニの総和）が、換気量「大」と等しくなり、適正な換気量で、室内の換気が行われる。
【００３４】
本実施形態の制御システムは、換気扇装置１の実換気量が必要換気量に満たない場合は、換気扇装置１の換気量を増加させる。換気扇装置１の実換気量が最大換気量となった場合は、制御装置４にあらかじめ記憶された燃焼量を下げる燃焼機器３の優先順位のデータを基に、少なくともいずれか１つの燃焼機器３の燃焼量を低下させる。このため、かかる制御システムによれば、室内に複数の燃焼機器３が配置された環境であって、複数の燃焼機器３が燃焼しているときであっても、適正な換気量で換気を行うことができ、これにより確実に、各燃焼機器の燃焼状態を維持し、熱効率の低下を抑制することができる。
【００３５】
また、該制御システムは、総燃焼量に対する必要換気量を求めて換気扇装置１の換気量を制御しているため、必要以上の室内の換気を抑制し、換気による室内の温度低下、及び換気装置の消費電力を抑えることができる。また、制御装置４は、燃焼量を低下させる燃焼機器３の優先順位データを記憶しているため、燃焼量を強制的に下げることが好ましくない燃焼機器３（本実施形態においては、温調機能を使用している場合のガスコンロ３ａ、ガス炊飯器３ｂ）の燃焼量を維持しつつ、燃焼量を下げても支障のない燃焼機器３（本実施形態においては、ファンヒータ３ｄ、ガス湯沸器３ｃ、温調機能を使用していない場合のガスコンロ３ａ）の燃焼量を強制的に下げて、総燃焼量を減らし、必要換気量を減らすことができる。
【００３６】
なお、本実施形態では、優先順位を、ファンヒータ３ｄ、ガス湯沸器３ｃ、温調機能を使用していないガスコンロ３ａの順としているが、本発明はこれに縛られるものではない。室内に配置された燃焼機器３の種類、室内の環境、使用者の都合などによって、様々な組み合わせが考えられる。また、本実施形態では、換気扇装置１の換気量を、段階的に増減するようにしているが、連続的に増減させるようにしてもよい。また、本実施形態においては、最大換気量を換気量「大」としているが、夜間等に最大換気量を例えば換気量「中」として制御するようにしてもよい。この場合、夜間等か否かは、例えば、タイマ設定や光センサ等を用いて判断される。また、本実施形態においては、２４時間換気を行っているが、本発明は、これに限定されず、例えば、いずれの燃焼機器３も運転されていない場合は、換気扇装置１の運転を停止するようにしてもよい。
【図面の簡単な説明】
【図１】本実施形態の制御システムを模式的に示したブロック図。
【図２】本実施形態の制御手段の機能説明図。
【図３】本実施形態の制御システムの作動の一例を示すグラフ。
【符号の説明】
１…換気扇装置、  ２…吸気口、  ３…燃焼機器、  ４…制御装置。
【図１】
2004301384.tif 000003
【図２】
2004301384.tif 000004
【図３】
2004301384.tif 000005